(57)【要約】【課題】これまで、ＨＤＤはＰＣ用途でＡＶ用途用に特化されたものはなく、ＡＶ用途での信頼性向上は無かった。【解決手段】本願の発明では、ホスト機器側の空き時間を利用して、ＨＤＤ内部処理を行なう時間を確保するために、記録又は再生のコマンド間の空き時間を計算し、休止コマンドを与えることにより、ＨＤＤ内部処理を行ないＨＤＤの回転数を落としたり、キャリブレーションなど、ＨＤＤの寿命や信頼性向上につながる制御を行なうことで、ＨＤＤの信頼性と寿命の向上を行なうことが可能となる。【選択図】  図１
2007026125.tif 000002
【特許請求の範囲】
【請求項１】
情報を記録再生する記録再生部と、
上記情報の記録または再生のコマンドを発行し上記記録再生部を制御する制御手段と、
を備える記録再生装置であって、
上記制御手段は、コマンド間の空き時間を計算し、上記記録再生部に対し、該計算した空き時間の情報を含む休みコマンドを発行すること
を特徴とする記録再生装置。
【請求項２】
請求項１において、
上記記録再生部は、磁気ディスク装置、光ディスク装置、または半導体メモリであること
を特徴とする記録再生装置。
【請求項３】
請求項１または２において、
上記記録再生部は、休みコマンドを受信したとき、コマンドに含まれる空き時間情報に応じて、内部処理を実行すること
を特徴とする記録再生装置。
【請求項４】
請求項３において、
上記内部処理とは、上記記録再生部の低電力モードまたは自己診断であること
を特徴とする記録再生装置。
【発明の詳細な説明】
【技術分野】
【０００１】
本発明は、記録再生装置に係る。
【背景技術】
【０００２】
本技術分野の背景技術として、例えば、特開２００２−２５８９９６（特許文献１）がある。該公報には、課題として、「HDDの消費電力を削減するとともに騒音を低下させること。」と記載され、また、解決手段として「HDDコントローラ100内の制御部200は、記録対象であるデータの一部または全部をキャッシュ用HDDにキャッシュしたうえで保存用HDDに転送して保存させるとともに、再生対象であるデータを上記キャッシュ用HDDまたは上記保存用HDDから再生させる。また、HDDコントローラ100内の電源管理部400は、上記キャッシュ用HDDの電源を常時オンにするとともに、上記保存用HDDの電源を当該HDDにアクセスする間だけオンにする。」と記載されている。
【０００３】
また、他の背景技術として、例えば、特開２０００−２００１５２（特許文献２）がある。該公報には、課題として「ホストシステムからのコマンド発行間隔内に、コマンド実行の終了を保障することにより、常にホストシステム側の正常動作を実現することにある。」と記載され、また解決手段として、「ＨＤＣ９は、ホストシステム１１から発行されたコマンド制御情報を設定するためのレジスタを有する。ＣＰＵ１２は、当該レジスタからコマンド制御情報を読出し、当該コマンド制御情報に基づいてホストシステム１１からのコマンドの発行間隔内にコマンド実行を終了させるように制御する。」と記載されている。
【０００４】
【特許文献１】特開２００２−２５８９９６号公報
【特許文献２】特開２０００−２００１５２号公報
【発明の開示】
【発明が解決しようとする課題】
【０００５】
本発明は、例えば、磁気ディスク装置や光ディスク装置などの記録媒体を有し、映像コンテンツを記録再生する機能を有する記録再生機器装置や、その他情報を記録再生する装置に関するものであるが、この技術分野において、上記のような背景技術があることについて説明した。
【０００６】
ところで、  現在、録画再生するためにＨＤＤレコーダーが普及し始めている。また、パソコン用ＨＤＤが録画用に使われている。ＡＶストリームのデータレートは、ＨＤＤの内部の最大データレートより低い。ＨＤＤは、間欠動作で記録、再生動作をする。間欠動作で実際に読み書きしていない時は、次コマンドを待ち受けしている。
一方、ＨＤＤ側でも、コマンドによらない内部処理が必要。内部処理例としては、次のようなものがある。
（１）サーボ系キャリブレーション。
（２）内部の管理情報の更新（S.M.A.R.T.など）。
（３）自己診断。
（４）長時間R/Wしないときは、低電力モードに移行する事もある。
【０００７】
これまでのＨＤＤでは、常にコマンド待ち受け状態なので、内部処理実行可能なタイミングを判断するのが困難であった。
【０００８】
ＡＶストリームのように高速で大量なデータを記録または再生または同時にその両方を行なう場合、ＨＤＤはホストからリード、ライトなどのコマンドを要求されるまで常にコマンド待ちの状態が続いている。ＨＤＤ側で待ち時間が長いと、内部処理の効率が落ちるばかりか消費電力や回転数が増え、結果、ＨＤＤの寿命や信頼性を縮めることにつながってしまう。例えば、一定時間にホスト側からコマンドが来ない休み時間の期間に、休み時間内に完了可能なＨＤＤ内部処理を行なうことを可能とさせるような仕組みは無かった。
【０００９】
また、これまで、ＨＤＤレコーダーなどのディスク記憶装置の寿命は、使用時間や回転数に応じて短くなることが知られている。累計の回転数が増えればそれに応じて寿命もせまり、信頼性も落ちることが知られている。
【００１０】
そこで、一定時間コマンドが来ない場合にＨＤＤの内部処理を開始するようにすることが考えられる。そうすると、内部処理の実行中に、次のコマンドが発行されることがある。この場合には、次の二つの処理のどちらかが想定される。
【００１１】
１つ目は、ＨＤＤの内部処理を中断することである。この場合、後で、再度、同様の内部処理を実行しなおす必要があり、内部処理実行の効率が低下する。
【００１２】
２つ目は、ＨＤＤの内部処理が終了するのを待ってから、ホスト機器側のコマンドを処理することが考えられる。内部処理終了まで次のコマンドを実行することが出来ないためコマンド実行待ちによりパフォーマンスが低下する。
【００１３】
以上のようにＡＶストリームを扱うには大量のデータを扱うために現状必ずしも効率的な処理が行なわれているとは限らないという問題がある。
【００１４】
本発明は、記録再生装置における処理の効率化を目的とする。
【課題を解決するための手段】
【００１５】
上記目的は、特許請求の範囲に記載の発明により達成される。
【発明の効果】
【００１６】
本発明によれば、記録再生装置における処理の効率化を実現できる。
【発明を実施するための最良の形態】
【００１７】
以下、本発明の実施の形態を図面を参照しながら説明する。
【００１８】
例えば、ホスト機器側で、リード、ライト処理を行なわない休み時間をあらかじめ判定し、休みコマンドを発行してリード、ライトを実行しない休み時間をＨＤＤ側に伝えることにより、ＨＤＤ側は、空き時間情報を元に、与えられた空き時間内に処理可能な内部処理ができる。空き時間はあらかじめ転送速度とバッファ容量によって計算可能である。
【００１９】
このように処理することで、課題であった、空き時間中のＨＤＤ内部処理中に、ホスト機器側からのコマンドを受信してＨＤＤ内部処理を中断することなく、また、内部処理が終了するまでホスト機器側のコマンド実行を遅らせることもしなくて良いため、効率的なＡＶストリームの処理とＨＤＤ内部処理の実行が可能となる。
【００２０】
また、ＨＤＤ側は、空き時間情報を元に、キャリブレーションや、回転数を低下させるまたは停止することなどＨＤＤ側の内部処理を適宜選択し実行することを可能となる。本発明では、空き時間情報による制御方法を設けて空き時間を利用した制御を行ない磁気ディスク装置や光ディスク装置、フラッシュメモリなどの記憶装置の効率的な利用を実現させる。空き時間の開始、空き時間の終了、空き時間の長さなど空き時間を利用するための情報をＨＤＤ側に伝えることでＨＤＤ側は回転数を低下させたり、停止させたり、ＨＤＤ側でキャリブレーションを行なったりＨＤＤの効率的な利用を促すと共に、ＨＤＤの寿命や信頼性向上を計ることをも可能とさせる。
【００２１】
同様に光ディスク記憶装置などのディスク装置においてもホスト機器側の空き時間内に実行し完了可能な内部処理を行なうことにより効率的なＡＶストリームの処理と光ディスク記憶装置の内部処理が実行可能となる。
【００２２】
また、ＳＤカードやコンパクトフラッシュ（登録商標）のようなフラッシュメモリを用いた機器装置において、ＡＶストリームの記録再生において、ホスト機器側からのリードまたはライトなどの動作によりデータを記録時、再生時、記録再生時などに間欠動作を行なう場合、ホストのコマンドとコマンドの間にフラッシュメモリの内部処理を行なったり、また、電力を低電力モードに落とすなどの処理により機器の消費電力を落とすなどの効率的な使用を可能とさせる。
【実施例１】
【００２３】
図１は、本発明の仕組みを適用した映像記録再生機器装置の構成を示す図である。
ハードディスクレコーダ（以下、ＨＤＤレコーダと称す）１には、制御部11を備え、制御部11は、一般的なＣＰＵの機能を備えたコンピュータ機能を有している。ＨＤＤレコーダ１は、アンテナなどから放送波などの映像信号などのデータを受信した信号を受け取る受信部12と、外部機器などから映像信号などを入力する入力部13と、受信部12と入力部13から受け取る映像信号を各種様式の映像信号に変換などを行なう映像信号処理部15と、各種映像信号処理された映像信号などを出力する出力部14とを有し、番組を記憶装置13に記録したり、記録した番組を読み出して再生する。ＨＤＤレコーダ１は、各部を制御する制御部11と制御線19を備える。出力部15より接続したテレビジョン受像機２などに表示するために整えられた映像信号を出力する。録画中、または、再生中であっても、ホスト機器側でコマンドとコマンドの間の空き時間を計算し、ドライブ側のＨＤＤ20に空き時間情報などを伝える休みコマンドを発行してＨＤＤ側に伝え、ＨＤＤ20は、発行された休みコマンドを受け取って、受け取った空き時間情報を元に、その空き時間でできるＨＤＤ内部処理を実行する。例えば、回転数を落として消費電力を抑えたり、キャリブレーションを行なうことによりＨＤＤ20の寿命や信頼性向上を計ることが可能となる。また、本発明は空き時間に回転数を落としたり、キャリブレーションをするだけでなく、その他、信頼性向上、寿命向上などにつながる制御など空き時間を利用したＨＤＤ内部処理制御全般に関する。
【００２４】
図２に、ＨＤＤの制御タイミングを示す。本タイミング図は、１本の動画ストリーム映像の再生時のＨＤＤ動作タイミングである。本図では、１本の単数のストリームを扱っているが、複数ストリームを扱った場合も同様に空き時間の計算を行ない休み時間コマンドを用いてＨＤＤ内部処理を行なうことを含む。流れは、管理領域アクセスの後、データ読み出しに入るがその間に空き時間が発生する。Ｃは管理領域をリードするリード動作。St#1Rは、ストリームデータのリード動作。
【００２５】
図３に空き時間を利用した制御の基本的な流れを示す。ＨＤＤレコーダが再生または記録処理が開始されたら、データ転送速度とバッファサイズを元に（ＳＴ１）空き時間を計算し、（ＳＴ１０）管理領域アクセスの後、（ＳＴ１１）休み時間コマンドを発行し、（ＳＴ１２）再生のためにストリーム1のリードを行ない、その後に、（ＳＴ１３）休み時間コマンドを発行し、次に、（ＳＴ１４）ストリームが終了かどうか判定し休み時間コマンド発行シーケンスを繰り返す。
【００２６】
また、光ディスク装置やフラッシュメモリに記録、または、再生する場合でも上述と同様な仕組み、同様な制御で動作する。
【実施例２】
【００２７】
発行する休みコマンドの形態として、２つの形態について説明する。
図４に、休みコマンドの制御タイミング図を示す。
１つ目の(1)は、休みコマンド内に時間情報を含めて、その休みコマンドがきたら、その休みコマンドで与えられた空き時間で各種記憶媒体の内部処理を実行可能とする制御である。
もう１つの(2)は、休みコマンドを設定する設定コマンドにより、休みコマンドが繰り返し同じ時間で休み時間が与えられる場合に休みコマンドが起点となって、各種記憶媒体の内部処理を実行可能とする制御である。
【００２８】
以上説明した実施例によれば、ＨＤＤレコーダーではＡＶ用途でのＡＶ向けＨＤＤというようなものは存在しなかった。しかし、本発明によれば、ホスト側の空き時間情報を元にＨＤＤ側で内部処理が空き時間に応じて実行でき、内部処理を中断することなく、また、内部処理の終了を待つことなくコマンド処理を実行可能となる。
【００２９】
また、ホスト機器側の空き時間を利用してＨＤＤの回転数を落としたり、キャリブレーションなどを行なうことなどＨＤＤの内部処理により、ＨＤＤの寿命を延ばすことが可能となる。ＨＤＤの寿命は一般的に回転数に応じて決まることが知られており、この、回転数を少なくすることが寿命を延ばす１つの有効な手段となる。また、キャリブレーションを行なうことで正確なリードライトを行なうことにより、リトライ回数を減らすことで、信頼性や寿命を伸ばす効果や消費電力の低下に貢献することも可能となる。本発明によりＡＶ用途で効率的な処理を行なうことが可能なＨＤＤを提供する事が可能となる。
また、ＤＶＤレコーダやＢＤレコーダなどの光ディスクレコーダも同様にホスト側の空き時間情報を元に光ディスク装置側で内部処理が空き時簡に応じて実行でき、内部処理を中断することなく、また、内部処理の終了を待つことなくコマンド処理を実行可能となる。これらにより、ＨＤＤレコーダ同様、寿命を延ばす効果が期待できる。フラッシュメモリによるレコーダにおいては、低電力モードに移行することで消費電力を抑えることなどが内部処理で効果を得ることが可能。
【図面の簡単な説明】
【００３０】
【図１】録画再生機器装置の構成図である。
【図２】ＨＤＤ動作タイミングの図である。
【図３】空き時間制御フローを示す図である。
【図４】休みコマンドの制御タイミング図である。
【符号の説明】
【００３１】
1  ＨＤＤレコーダー
2  表示装置
3  携帯電話などの端末装置
4  アンテナ部
11  制御部
12  受信部
13  入力部
14  出力部
15  映像信号処理部
16  時間測定部
17  演算部
18  記憶部
20  ＨＤＤ
【図１】
2007026125.tif 000003
【図２】
2007026125.tif 000004
【図３】
2007026125.tif 000005
【図４】
2007026125.tif 000006